(57)【特許請求の範囲】
【請求項１】
乳母車に乗車している乳幼児を外側から覆ったカバー装着形態で乳母車に装着するカバーを備えた乳母車用カバーであって、
上記カバーを、乳母車の前面、上面、及び、背面を覆う中央カバーと、乳母車の側面を覆う側面カバーとで形成し、
上記側面カバーは、上記中央カバーにおける上面部に相当する中央カバー上面部の幅方向の両側からフラップ状に突出して形成し、
上記側面カバーに、該側面カバーの後端から乳母車の背面に対して後方へ突出する後方フラップ部を形成し、
上記後方フラップ部を上記中央カバーの背面部に相当する中央カバー背面部に対して重合した状態で固定する背面側固定手段を、上記カバーの背面側に形成し、
上記カバー装着形態において上記カバーの内側と外側との間で乳母車のハンドルの挿通を許容するよう上記カバーの下端から上方に開口するハンドル挿通許容部を、上記側面カバーと上記中央カバー背面部との間に形成し、
上記ハンドル挿通許容部の上部に、
上記カバー装着形態が、上記カバーの前方下部に有するカバー前裾部分の高さが乳母車の車輪よりも高く、且つ、乳母車の略全体を覆う所望のカバー装着形態となるよう乳母車の形態に応じて上記ハンドルの挿通位置を調節可能とする長さを有するハンドル挿通位置調節部分を上記中央カバーと上記側面カバーとの間に沿って形成し、
上記カバーを上記ハンドルに固定する固定手段を、上記ハンドル挿通位置調節部分に沿って形成し、
上記固定手段を、雄型面ファスナと雌型面ファスナから成る一対の面ファスナで構成し、
上記一対の面ファスナのうち、一方の面ファスナを、上記ハンドル挿通位置調節部分の幅方向における上記中央カバー側の縁部に沿って該中央カバーの内面側に添着し、
上記一対の面ファスナのうち、他方の面ファスナを、上記ハンドル挿通位置調節部分の幅方向における上記側面カバー側の縁部に沿って該側面カバーの外面側に添着した
乳母車用カバー。
【請求項２】
上記ハンドル挿通位置調節部分に、上記ハンドルを挿通しているハンドル挿通部分と、ハンドルを挿通していないハンドル非挿通部分とを備え、
上記ハンドル非挿通部分の周辺部分における上記カバーの弛緩具合を調節する調節手段を、上記カバーの後方側に備えた
請求項１に記載の乳母車用カバー。
【発明の詳細な説明】
【技術分野】
【０００１】
この発明は、乳母車に乗車している乳幼児を例えば風雨や雪、排気ガス等の外的要因から保護するために乳幼児を覆った状態で乳母車に装着して用いられる乳母車用カバーに関する。
【背景技術】
【０００２】
上述した乳母車用カバーとしては、例えば、特許文献１において乳母車用カバーが提案されている。  
特許文献１に記載の乳母車用カバーは、乳母車の前部、上部、及び後部を覆う中央部カバーと、乳母車の両側部を覆う側面カバーとで構成されたカバーを備え、該カバーを、乳母車に乗車している乳幼児を外側から覆ったカバー装着形態で乳母車に装着したとき、乳幼児の略全体を覆うことができるものである。
【０００３】
しかし、特許文献１に記載の乳母車用カバーは、カバーを小さいサイズの乳母車に装着した場合、中央部カバーの特に前方下部に有する前側フラップなどのカバーの前裾部分が乳母車の前輪に接触する高さとなるカバー装着形態となるおそれがある。
【０００４】
この場合、乳母車が走行中にカバーの例えば、前裾部分が乳母車の前輪に接触してカバーが破損してしまうだけでなく、カバーが車輪に巻き込まれるなどして乳母車が意に反して急停車を強いられることや、転倒のおそれがあり、乳幼児を危険に晒す事態が生じることになる。
【０００５】
その一方で、特許文献１に記載の乳母車用カバーは、カバーを、大きいサイズの乳母車に装着した場合、カバーによって乳幼児を完全に覆うことができないカバー装着形態となるおそれがある。
【０００６】
例えば、カバーの前裾部分によって乳母車のステップ（足置き台）を完全に覆うことができない場合には、ステップに載せた乳幼児の足が露出し、乳幼児の足に雨や泥がかかるなどの事態が生じることになる。
【０００７】
このように、カバーは、乳母車のサイズに応じて適切なサイズのもので乳母車を覆う必要があるが、乳母車の形態には、背面タイプ、両対面タイプ、バギータイプなど様々なタイプが存在し、これらタイプごとにサイズだけでなく形状など乳母車の形態が異なるため、これら乳母車の形態に応じて所望の装着形態で装着することが困難であり、上述したように、カバーが前輪に接触することで、前輪にカバーが巻き込まれるなどして転倒し、乳幼児を危険に晒すことや、十分に乳幼児を外的要因から保護することができないという問題があった。
【先行技術文献】
【特許文献】
【０００８】
【特許文献１】特開２００４−３３８７０５号公報
【発明の概要】
【発明が解決しようとする課題】
【０００９】
そこでこの発明は、乳母車の形態に関わらず、乳母車に対してカバーを所望の装着形態で装着することができることにより、カバーが乳母車の車輪に接触することなく安全に走行でき、また、乳幼児を外的要因からしっかりと保護できる乳母車用カバーの提供を目的とする。
【課題を解決するための手段】
【００１０】
本発明は、乳母車に乗車している乳幼児を外側から覆ったカバー装着形態で乳母車に装着するカバーを備えた乳母車用カバーであって、上記カバーを、乳母車の前面、上面、及び、背面を覆う中央カバーと、乳母車の側面を覆う側面カバーとで形成し、上記側面カバーは、上記中央カバーにおける上面部に相当する中央カバー上面部の幅方向の両側からフラップ状に突出して形成し、上記側面カバーに、該側面カバーの後端から乳母車の背面に対して後方へ突出する後方フラップ部を形成し、上記後方フラップ部を上記中央カバーの背面部に相当する中央カバー背面部に対して重合した状態で固定する背面側固定手段を、上記カバーの背面側に形成し、上記カバー装着形態において上記カバーの内側と外側との間で乳母車のハンドルの挿通を許容するよう上記カバーの下端から上方に開口するハンドル挿通許容部を、上記側面カバーと上記中央カバー背面部との間に形成し、
上記ハンドル挿通許容部の上部に、上記カバー装着形態が、上記カバーの前方下部に有するカバー前裾部分の高さが乳母車の車輪よりも高く、且つ、乳母車の略全体を覆う所望のカバー装着形態となるよう乳母車の形態に応じて上記ハンドルの挿通位置を調節可能とする長さを有するハンドル挿通位置調節部分を上記中央カバーと上記側面カバーとの間に沿って形成し、上記カバーを上記ハンドルに固定する固定手段を、上記ハンドル挿通位置調節部分に沿って形成し、上記固定手段を、雄型面ファスナと雌型面ファスナから成る一対の面ファスナで構成し、上記一対の面ファスナのうち、一方の面ファスナを、上記ハンドル挿通位置調節部分の幅方向における上記中央カバー側の縁部に沿って該中央カバーの内面側に添着し、上記一対の面ファスナのうち、他方の面ファスナを、上記ハンドル挿通位置調節部分の幅方向における上記側面カバー側の縁部に沿って該側面カバーの外面側に添着したことを特徴とする。
【００１１】
上述したように、上記ハンドル挿通許容部の上部に、上記カバー装着形態が上記所望のカバー装着形態となるよう乳母車の形態に応じて上記ハンドルの挿通位置を調節可能とする長さを有するハンドル挿通位置調節部分を形成したため、乳母車の形態に応じて、ハンドルの挿通位置（連通位置）をハンドル挿通位置調節部分において調節することができる。
【００１２】
従って、カバーがハンドルに干渉することなく、乳母車の形態に関わらず、乳母車に対してカバーを所望の装着形態で装着することができることにより、カバーの特に、前裾部分が乳母車の前輪に接触せずに走行でき、また、乳幼児を外的要因からしっかりと保護できる。
【００１３】
また、本発明の乳母車用カバーは、上記カバーを上記ハンドルに固定する固定手段を、上記ハンドル挿通位置調節部分に沿って形成しているため、ハンドル挿通位置調節部分における、ハンドルの挿通位置以外の部分を閉じるよう固定手段で固定することにより、ハンドルの挿通位置以外の部分をしっかりと閉塞した状態とし、カバー内部の乳幼児をしっかりと保護することができる。
【００１４】
上記固定手段は、例えば、面ファスナ、ホック、ボタン、紐、帯状体、スライドファスナ、若しくは、これらの結合によって形成することができるが、後述するように面ファスナで形成することが好ましい。
【００１５】
また、上述したように、上記固定手段を、上述したように面ファスナで形成することで、上記ハンドル挿通位置調節部分において、上記ハンドルの挿通位置がいずれの位置に有するか否かに関わらず、一対の面ファスナ同士を互いに重合または、離間するだけで容易に着脱することができる。また、互いに重合したときは、上記ハンドルの挿通位置以外の箇所のカバーが開いている部分をしっかりと閉じることができる。
【００１６】
また、上述したように、上記カバーを、乳母車の前面、上面、及び、背面を覆う中央カバーと、乳母車の側面を覆う側面カバーとで形成し、上記ハンドル挿通位置調節部分を、上記中央カバーと上記側面カバーとの間に沿って形成することにより、上記ハンドル挿通位置調節部分を中央カバーと側面カバーとを縫着するなどして結合した結合部分に沿って形成することができる。このため、例えば、中央カバーと側面カバーとを結合した結合部分の以外のカバー表面に別途、ハンドル挿通位置調節部分を形成する場合と比較して、乳幼児、或いは保護者によるカバーを通じての視界がハンドル挿通位置調節部分によって遮られることがなく、良好な視界を得ることができるとともに、乳母車用カバー自体を、優れた審美性を備えた構成とすることができる。
【００１７】
また、上述したように、上記側面カバーに、該側面カバーの後端から乳母車の背面に対して後方へ突出する後方フラップ部を形成し、上記後方フラップ部を上記中央カバーの背面側部分に対して重合した状態で固定する背面側固定手段を、上記カバーの背面側に形成することにより、上記後方フラップ部を上記中央カバーの背面側に配置した状態とすることで、後方フラップ部により背面全体を覆った状態とすることができる。
【００１８】
さらに、上記後方フラップ部を背面側固定手段により固定することにより、該後方フラップ部を上記中央カバーの背面側に配置した状態でしっかりと固定することができる。
【００１９】
特に、上記ハンドルの挿通位置が、上記ハンドル挿通位置調節部分における、乳母車の後方側の端部に位置する場合において、上記ハンドル挿通位置調節部分のハンドルに対して後方側（下側）の部分に固定手段を備えずとも、該ハンドルに対して後方側の部分を、上記中央カバーの背面側に配置した後方フラップ部によって隙間なく閉塞することができる。
【００２０】
上記後方フラップ部は、上記側面カバーにおける右側に位置する右側側面カバー、及び左側に位置する左側側面カバーの双方に備えた構成に限らず、左右いずれか少なくとも一方に備えることができる。
【００２１】
上記背面側固定手段は、上記後方フラップ部を上記中央カバーの背面側に配置した状態で固定できる手段であれば、例えば、紐、帯状体、面ファスナ、フック、ボタン、若しくは、これらの結合により形成することができる。
【００２２】
またこの発明の態様として、上記ハンドル挿通位置調節部分に、上記ハンドルを挿通しているハンドル挿通部分と、ハンドルを挿通していないハンドル非挿通部分とを備え、上記ハンドル非挿通部分の周辺部分における上記カバーの弛緩具合を調節する調節手段を、上記カバーの後方側に備えることができる。
【００２３】
上述した構成によれば、乳母車の形態によっては、乳母車にカバーを装着したとき、特に、ハンドル非挿通部分の周辺部分が乳母車の形態に応じて弛緩する場合があるが、その場合であっても、上記調節手段により、弛緩具合を調節することにより、特にハンドル非挿通部分の周辺部分の弛みを解消し、見栄えよく装着することができる。
【００２４】
特に、乳母車用カバーを、背の低い乳母車に装着した場合において、乳母車の背面側でカバーが残余した状態になりがちであるが、このように、乳母車の背面側で残余した部分を、前記背面側固定手段によって上記後方フラップ部を上記中央カバーの背面側部分に対して重合した状態で固定することにより、乳母車の形態に関わらずカバーが弛緩することがなく装着することができる。
【００２５】
上記調節手段は、紐、帯状体、面ファスナ、フック、ボタン、スライドファスナ、若しくは、これらの結合により形成することができる。
【発明の効果】
【００２６】
この発明によれば、乳母車の形態に関わらず、乳母車に対してカバーを所望の装着形態で装着することができることにより、カバーが乳母車の車輪に接触することなく安全に走行でき、また、乳幼児を外的要因からしっかりと保護できる乳母車用カバーを提供することができる。
【図面の簡単な説明】
【００２７】
【図１】本実施形態の乳母車用カバーを乳母車に装着した状態の外観図。
【図２】本実施形態の乳母車用カバーの右側面図。
【図３】本実施形態の乳母車用カバーの構成説明図。
【図４】本実施形態の乳母車用カバーの背面図。
【図５】本実施形態の乳母車用カバーの外観図。
【図６】本実施形態の乳母車用カバーの展開図。
【図７】本実施形態の乳母車用カバーの構成説明図。
【図８】本実施形態の乳母車用カバーの作用説明図。
【図９】本実施形態の乳母車用カバーの作用説明図。
【図１０】本実施形態の乳母車用カバーの作用説明図。
【図１１】本実施形態の乳母車用カバーの作用説明図。
【図１２】本実施形態の乳母車用カバーの作用説明図。
【図１３】本実施形態の乳母車用カバーの作用説明図。
【図１４】他の本実施形態の乳母車用カバーの構成説明図。
【発明を実施するための形態】
【００２８】
この発明の一実施形態を、以下図面を用いて説明する。  
本実施形態における乳母車用カバー１は、図１乃至図７に示すように、乳母車Ａに乗車している乳幼児を外側から覆ったカバー装着形態で乳母車Ａに装着する構成である。  
なお、図１は、ハンドル５０１の位置が比較的低い、すなわち背の低い乳母車Ａ（以下、「小型乳母車Ａｓ」とする。）に対して乳母車用カバー１を装着した状態を示している。図２は乳母車用カバー１を小型乳母車Ａｓに装着した状態の外右側面図を示し、図３は乳母車用カバー１を小型乳母車Ａｓに装着した状態の上部を斜め後方から視た部分拡大図を示し、図４は乳母車用カバー１を小型乳母車Ａｓに装着した状態の背面図を示し、図５は乳母車用カバー１の外観図を示し、図６は、乳母車用カバー１の展開図を示し、図７（ａ）は図３中のＡ−Ａ線端面図を示し、図７（ｂ）は図６中のＸ１部拡大図中のＢ−Ｂ線端面図を示し、図７（ｃ）は図６中のＸ２部拡大図中のＣ−Ｃ線端面図を示している。また、以下の説明において、乳母車用カバー１を乳母車Ａに装着した状態において、乳母車Ａの前後方向、左右方向と一致する方向をそれぞれ乳母車用カバー１の前後方向、左右方向（幅方向）として説明する。
【００２９】
乳母車用カバー１は、小型乳母車Ａｓに加え、ハンドル５０１の位置が比較的高い、すなわち背の高い後述する乳母車Ａ（以下、「大型乳母車Ａｂ」とする。）に対しても車輪５０２を除く略全体を覆う大きさで形成したカバー体１０を備えている。カバー体１０は、中央カバー体１１０とフラップ状カバー体１２０とで形成している。
【００３０】
中央カバー体１１０とフラップ状カバー体１２０のそれぞれの外周縁部には、帯状のバイアステープ２０１を端部に沿って縫着しているとともに、中央カバー体１１０とフラップ状カバー体１２０とが対向する外周縁部は、互いに縫着することによりカバー体１０を一体に形成している。
【００３１】
中央カバー体１１０、及び、フラップ状カバー体１２０は、それぞれ樹脂シート２０３と装飾布シート２０２とを組み合わせてシート状に形成している。
【００３２】
樹脂シート２０３は、ポリエチレン酢酸ビニル（ＰＥＶＡ）により無色透明で形成している。装飾布シート２０２は、図中、カバー体１０にドットを付して示した部分であり、撥水加工を施したナイロン生地で形成している。図示省略するが、装飾布シート２０２の外面側表面には、星や花などの模様がプリントされている。
【００３３】
中央カバー体１１０は、カバー体１０の幅方向の中央部に配置され、幅方向に対して直交方向に長い平面視長方形状で形成している。中央カバー体１１０の前後方向（長手方向）の前後各側に装飾布シート２０２を配置するとともに、前後方向の後方側を除く部分に樹脂シート２０３を配置している。
【００３４】
フラップ状カバー体１２０は、略扇形形状で形成し（図６参照）、中央カバー体１１０に対して幅方向の両側にフラップ状に形成している。フラップ状カバー体１２０は、その外周側に装飾布シート２０２を配置するとともに、中心側に樹脂シート２０３を配置している。
【００３５】
また、フラップ状カバー体１２０の上部には、正面視円形状の窓部２０４を形成している。窓部２０４は、図２に示すように、樹脂シート２０３を正面視円形状に開口した開口部分に対して、メッシュ生地２０４ａで覆った構成であり、窓部２０４上部には、樹脂シート部材で形成した雨除け用の庇２０４ｂを備えている。
【００３６】
カバー体１０について換言すると、図５及び、図６に示すように、カバー体前面部１１１、カバー体上面部１１２、カバー体背面部１１３、カバー体側面部１２１、カバー体後端フラップ部１２２、及び、カバー体装着高さ調節部１３０とで形成している。
【００３７】
カバー体側面部１２１は、カバー体右側面部１２１Ｒ、及び、カバー体左側面部１２１Ｌとで形成し、カバー体装着高さ調節部１３０は、図６に示すように、カバー体装着高さ調節中央部１３１、及び、カバー体装着高さ調節側面部１３２とで形成している。
【００３８】
また、カバー体背面部１１３の中央部には、樹脂シート２０３により形成したポケット２０５を備えている。ポケット２０５は、哺乳瓶や遊具などの物品を収納可能な大きさを有して形成するとともに、上部に開口部を有している。ポケット２０５の上部には、開口部を閉塞する閉塞用フラップ部２０６を備えている。
【００３９】
カバー体前面部１１１、カバー体上面部１１２、カバー体装着高さ調節中央部１３１、及び、カバー体背面部１１３は、いずれも中央カバー体１１０に備えている。
【００４０】
カバー体前面部１１１は、図１に示すように、乳母車用カバー１を小型乳母車Ａｓに被覆した状態において、該小型乳母車Ａｓに対して前方側に位置する部分に配置している。また、カバー体前面部１１１は、図７（ｃ）に示すように、装飾布シート２０２と樹脂シート２０３とを互いを重合した状態で構成している。装飾布シート２０２は、カバー体前面部１１１の外面側（表面側）に配置するとともに、樹脂シート２０３は、カバー体前面部１１１の内面側（裏面側）に配置している。  
なお、カバー体前面部１１１の下端部分には、カバー前裾部分１１１ｆを備えている。
【００４１】
カバー体上面部１１２は、小型乳母車Ａｓの上方側に位置する部分に配置し、樹脂シート２０３によって形成している。カバー体背面部１１３は、小型乳母車Ａｓの背面側に位置する部分に配置し、装飾布シート２０２によって形成している。
【００４２】
カバー体装着高さ調節中央部１３１は、小型乳母車Ａｓに対して背面側（後方側）に位置する部分における上部、すなわち、カバー体上面部１１２とカバー体背面部１１３との間部分に形成している。
【００４３】
カバー体側面部１２１、カバー体装着高さ調節側面部１３２、及び、カバー体後端フラップ部１２２は、いずれもフラップ状カバー体１２０に備えている。カバー体側面部１２１は、小型乳母車Ａｓに対して側面に位置する部分であって、後方部分を除く部分に配置している。カバー体後端フラップ部１２２は、フラップ状カバー体１２０の後方部分において、後方に向けてフラップ状に突出した部分である。カバー体装着高さ調節側面部１３２は、カバー体側面部１２１とカバー体後端フラップ部１２２との間部分に形成している。
【００４４】
また、乳母車用カバー１は、該乳母車用カバー１を乳母車Ａに装着する際において上記カバーの内側と外側との間で乳母車Ａのハンドル５０１の挿通を許容するハンドル挿通許容スリット１５０を、上記カバーの後方側に形成している。
【００４５】
図４、図５、及び、図６に示すように、ハンドル挿通許容スリット１５０は、中央カバー体１１０の少なくともカバー体背面部１１３と、フラップ状カバー体１２０との間に、カバー装着形態においてカバーの下端から上方へ向けてスリット状に開口して形成している。
【００４６】
詳しくは、上記ハンドル挿通許容スリット１５０は、その上部を、従来の乳母車用カバーのハンドル挿通許容スリット１５０の上端部よりも、さらに、カバー体装着高さ調節中央部１３１、及び、カバー体装着高さ調節側面部１３２の間に相当する部分を含めた長さで形成している。
【００４７】
図２乃至図７（ａ）に示すように、上記ハンドル挿通許容スリット１５０の上部であって、カバー体装着高さ調節中央部１３１、及び、カバー体装着高さ調節側面部１３２の間に相当する部分を、ハンドル挿通位置調節部分１５１として形成している。
【００４８】
ハンドル挿通位置調節部分１５１は、乳母車Ａに乳母車用カバー１を装着したカバー装着形態において、乳母車用カバー１における内側と外側との間に乳母車Ａのハンドル５０１が挿通された位置としてのハンドル挿通位置１５２を調節する部分である。
【００４９】
ハンドル挿通位置調節部分１５１は、上記カバー装着形態が、カバー前裾部分１１１ｆの高さが乳母車Ａの前輪５０２Ｆよりも高く、且つ、乳母車Ａの車輪５０２を除く略全体を覆う所望のカバー装着形態となるよう乳母車Ａの形態に応じて上記ハンドル挿通位置１５２を調節可能とする長さを有して形成している。
【００５０】
詳しくは、ハンドル挿通位置調節部分１５１は、カバー体装着高さ調節中央部１３１、及び、カバー体装着高さ調節側面部１３２の間に備え、ハンドル挿通許容スリット１５０における、該ハンドル挿通許容スリット１５０の上端部からスリット状の長さ方向に沿って下方へ約１３ｃｍ程度の長さで形成している。
【００５１】
さらに、上記ハンドル挿通許容スリット１５０の幅方向に対して両縁部には、幅方向の各側の縁部同士を重合する面ファスナ１５３を備えている。  
詳しくは、面ファスナ１５３は、互いに重合可能な雄型面ファスナ１５３Ａと雌型面ファスナ１５３Ｂとの一対を備え、雄型面ファスナ１５３Ａと雌型面ファスナ１５３Ｂとは、それぞれ帯状に形成している。
【００５２】
図７（ａ），（ｂ）に示すように、上記一対の面ファスナ１５３のうち雄型面ファスナ１５３Ａを、ハンドル挿通許容スリット１５０におけるハンドル挿通位置調節部分１５１の幅方向に対して他方の縁部としてのカバー体装着高さ調節側面部１３２の縁部に沿って、該カバー体装着高さ調節側面部１３２の外面（表面）側に縫着している。
【００５３】
一方、上記一対の面ファスナ１５３のうち雌型面ファスナ１５３Ｂを、ハンドル挿通許容スリット１５０におけるハンドル挿通位置調節部分１５１の幅方向に対して一方の縁部としてカバー体装着高さ調節中央部１３１の縁部に沿って、該カバー体装着高さ調節中央部１３１の内面（裏面）側に縫着している。
【００５４】
また、図３乃至図６に示すように、カバー体後端フラップ部１２２の後端部には、背面側固定紐１６１（１６１Ｌ，１６１Ｒ）を備えている。  
詳しくは、背面側固定紐１６１は、互いに結締可能に一対備え、その一方の背面側固定紐１６１Ｌの基端部を、乳母車用カバー１の幅方向の一方側におけるカバー体後端フラップ部１２２の後端部に縫着するとともに、他方の背面側固定紐１６１Ｒの基端部を、乳母車用カバー１の幅方向の他方側におけるカバー体後端フラップ部１２２の後端部に縫着している。
【００５５】
さらにまた、図１、図２、図５乃至図７（ｃ）に示すように、カバー体前面部１１１の前端部には、前輪側固定紐１６２を備えている。  
前輪側固定紐１６２は、カバー体前面部１１１の前端部の幅方向の両側に備えている。前輪側固定紐１６２は、幅方向の各側に備えた２本の長尺状、且つ、帯状の面ファスナ１６２Ａ，１６２Ｂで形成し、２本の面ファスナ１６２Ａ，１６２Ｂの一方を、雄型面ファスナ１６２Ａで形成するとともに、他方を雌型面ファスナ１６２Ｂで形成している。これら２本の面ファスナ１６２Ａ，１６２Ｂは、長さ方向の基端部を乳母車のフレームの前輪５０２Ｆ近傍部分に巻き付けた状態で互いに重合可能にそのカバー体前面部１１１の前端部に縫着している。
【００５６】
また、乳母車用カバー１は、図５、及び、図６に示すように、カバー体前面部１１１とカバー体側面部１２１との間には、下方から上端にかけてスリット状に形成したスリット状開口部２０７を形成している。さらに、スリット状開口部２０７の縁部には、該スリット状開口部２０７を開閉可能とするスライドファスナ２０８を備えている。
【００５７】
詳しくは、スリット状開口部２０７の長手方向の一方の端部沿いには、スライドファスナの一方２０８ａを縫着し、スリット状開口部の長さ方向の他方の端部沿いには、スライドファスナの他方２０８ｂを縫着し、これら一対のスライドファスナ２０８には、該スライドファスナ２０８の長さ方向に沿ってスライドさせることにより、互いの係合を係脱自在とするスライダ２０８ｃを少なくとも１つ以上備えている（図６のＸ２部拡大図参照）。
【００５８】
上記構成により、乳母車用カバー１は、カバー体前面部１１１の幅方向の両端側において、スライダ２０８ｃのスライド操作により、一対のスライドファスナ２０８の係合を解除すると、乳母車Ａの前方を覆った状態からカバー体前面部１１１をフラップ状に捲り挙げが可能な状態となり、捲くり上げた状態で構成される前方の開口部を通じて乳幼児が乳母車Ａに対して乗り降りすることが可能となる。
【００５９】
上述した構成の乳母車用カバー１を小型乳母車Ａｓに装着する手順について図１乃至４、並びに図８及び、図９を用いて説明する。  
なお、図８は乳母車用カバー１を小型乳母車Ａｓに装着する際に奏する作用説明図であり、詳しくは、ハンドル挿通位置１５２がハンドル挿通位置調節部分１５１の長さ方向における上端位置１９１（前端位置１９１）に位置するまで乳母車用カバー１を後方側にスライドさせる様子を示す外観図である。図９（ａ）は図８中のＸ３部拡大図であり、図９（ｂ）は小型乳母車Ａｓの下部を示し、乳母車用カバー１の小型乳母車Ａｓに対する取り付け高さを調節する様子を説明する作用説明図である。
【００６０】
まず、乳母車用カバー１を小型乳母車Ａｓの上方から被覆し、カバー体上面部１１２が小型乳母車Ａｓに取り付けた幌体の上に載った状態とし、小型乳母車Ａｓの略全体を覆った状態とする。
【００６１】
そして、上記カバー装着形態が、カバー体１０の前方下部に有するカバー前裾部分１１１ｆの高さが小型乳母車Ａｓの前輪５０２Ｆよりも高く、且つ、小型乳母車Ａｓの略全体を覆う所望のカバー装着形態となるように、乳母車Ａのハンドル５０１が乳母車用カバー１における内側と外側との間に挿通する挿通位置、すなわち、ハンドル挿通位置１５２をハンドル挿通位置調節部分１５１において調節する。
【００６２】
具体的には、ハンドル挿通位置調節部分１５１が図９（ａ）中の仮想線で示した状態から実線で示した状態となるように、乳母車用カバー１の特に上部を、ハンドル挿通位置１５２がハンドル挿通位置調節部分１５１の長さ方向における、後端位置１９２（下端位置１９２）から前端位置１９１（上端位置１９１）に位置するまで小型乳母車Ａｓに対して後方側にスライドさせる（図９（ａ）中の矢印Ｄ参照）。
【００６３】
これにより、図８に示すように、乳母車用カバー１のカバー体上面部１１２は、幌体に対して後方へスムーズにスライドさせることができる。これに伴って、図９（ｂ）に示すように、カバー体前面部１１１を、上方に引き上げることができる（図９（ｂ）中の矢印Ｄ参照）。よって、図２、及び図９（ｂ）に示すように、カバー体前面部１１１の前裾部分１１１ｆの高さを小型乳母車Ａｓの後輪は勿論、前輪５０２Ｆよりも高い位置に位置するカバー装着形態とすることができる。
【００６４】
さらに、このようなカバー装着形態において、ハンドル挿通位置調節部分１５１の長さ方向におけるハンドル挿通位置１５２を除く部分（以下、「ハンドル非挿通部分１５５」とする。）について、その周縁部に備えた一対の面ファスナ１５３（１５３Ａ，１５３Ｂ）を互いに重合することにより、図２乃至図４に示すように、該ハンドル非挿通部分１５５を閉塞することができる。
【００６５】
そして、図４に示すように、左右両側においてカバー体側面部１２１におけるカバー体後端フラップ部１２２のそれぞれを、小型乳母車Ａｓの背面側で垂下した状態のカバー体背面部１１３に対して外側から背面側へ折り曲げた状態で配置することで、カバー体背面部１１３と、カバー体後端フラップ部１２２とが互いに重合した状態とすることができる。
【００６６】
この状態で一対の背面側固定紐１６１（１６１Ｌ，１６１Ｒ）を結締することで、カバー体背面部１１３とカバー体後端フラップ部１２２とが互いに重合した状態で固定することができる。さらに、図１、及び図２に示すように、前輪側固定紐１６２を構成する２枚の面ファスナ１６２Ａ，１６２Ｂ（雄型面ファスナ１６２Ａ、及び雌型面ファスナ１６２Ｂ）のそれぞれをフレームの前輪５０２Ｆ近傍部分に巻き付けた状態とし、互いに重合した状態で固定する。  
以上により、図１に示すように、乳母車用カバー１を小型乳母車Ａｓに対して適切な高さで装着することができる。
【００６７】
続いて、上述した乳母車用カバー１を大型乳母車Ａｂに装着する手順について図１０乃至図１２を用いて説明する。  
なお、図１０は乳母車用カバー１を大型乳母車Ａｂに装着する際に奏する作用説明図を示し、詳しくは、ハンドル挿通位置１５２がハンドル挿通位置調節部分１５１の長さ方向における後端位置１９２（下端位置１９２）に位置させた状態の外観図である。図１１は大型乳母車Ａｂに装着した状態の乳母車用カバー１における上部を、斜め後方から視た外観図である。図１２は乳母車用カバー１を大型乳母車Ａｂに装着した状態の背面図を示す。
【００６８】
まず、乳母車用カバー１を大型乳母車Ａｂの上方から覆い、カバー体上面部１１２が大型乳母車Ａｂの幌体に載置した状態となるカバー装着形態とする。  
そして、このようなカバー装着形態が、カバー前裾部分１１１ｆの高さが大型乳母車Ａｂの前輪５０２Ｆよりも高く、且つ、大型乳母車Ａｂの車輪５０２を除く略全体を覆う所望のカバー装着形態となるように、ハンドル挿通位置１５２をハンドル挿通位置調節部分１５１の長さ方向における大型乳母車Ａｂに応じた位置に調節する。
【００６９】
具体的には、図１０に示すように、乳母車用カバー１を、ハンドル挿通位置１５２がハンドル挿通位置調節部分１５１の長さ方向の下端位置１９２（後端位置１９２）に位置するよう調節する。  
これにより、乳母車用カバー１を、上述したように小型乳母車Ａｓに対して装着する際において、ハンドル挿通位置１５２をハンドル挿通位置調節部分１５１の長さ方向の上端位置１９１（前端位置１９１）となる位置に調節した場合と比較して、乳母車用カバー１のカバー体上面部１１２を幌体に対して前方側に位置させることになる。
【００７０】
これに伴って、乳母車用カバー１の特に、カバー体前面部１１１に近い位置に配置させることができる。このため、該乳母車用カバー１を、小型乳母車Ａｓよりも大きい大型乳母車Ａｂに対して装着した場合であっても、大型乳母車Ａｂの一部である例えば、大型乳母車Ａｂのステップなどがカバー体１０に対して外部に露出することがないカバー装着形態とすることができる。
【００７１】
加えて、乳母車用カバー１を、カバー体前面部１１１の前裾部分１１１ｆの高さを大型乳母車Ａｂの後輪は勿論、前輪５０２Ｆよりも高い所定の位置に前裾部分１１１ｆが位置するカバー装着形態とすることができる。
【００７２】
このようなカバー装着形態において、ハンドル挿通位置調節部分１５１の長さ方向におけるハンドル非挿通部分１５５について、その周縁部に備えた一対の面ファスナ１５３を互いに重合することにより、図１１に示すように、ハンドル挿通位置調節部分１５１の長さ方向の下端位置１９２（後端位置１９２）、すなわち、ハンドル挿通位置１５２を除く部分を閉塞することができる。
【００７３】
そして、図１２に示すように、左右両側のカバー体側面部１２１におけるカバー体後端フラップ部１２２のそれぞれを、乳母車Ａの背面側で垂下した状態のカバー体背面部１１３に対して外側から背面側へ折り曲げて配置することで、カバー体背面部１１３と、カバー体後端フラップ部１２２とが互いに重合した状態とすることができる。この状態で一対の背面側固定紐１６１を結締することで、カバー体背面部１１３とカバー体後端フラップ部１２２とが互いに重合した状態で固定することができる。
【００７４】
以上により、乳母車用カバー１を大型乳母車Ａｂに対して適切な高さで装着することができる。  
上述した乳母車用カバー１は、乳母車Ａが小型乳母車Ａｓ、及び、大型乳母車Ａｂ以外の形態、例えば、小型乳母車Ａｓと大型乳母車Ａｂとの間のサイズの乳母車Ａ（以下、「中型乳母車Ａｍ」）に対しても装着することができる。
【００７５】
詳しくは、乳母車用カバー１を中型乳母車Ａｍに装着する際には、ハンドル挿通位置１５２がハンドル挿通位置調節部分１５１の長さ方向における上端位置１９１（前端位置１９１）と後端位置１９２（下端位置１９２）との間において、上記カバー装着形態が、カバー前裾部分１１１ｆの高さが中型乳母車Ａｍの前輪５０２Ｆよりも高く、且つ、中型乳母車Ａｍの略全体を覆う所望のカバー装着形態となるように、ハンドル挿通位置１５２をハンドル挿通位置調節部分１５１において調節する。
【００７６】
乳母車Ａが中型乳母車Ａｍである場合には、ハンドル挿通位置１５２をハンドル挿通位置調節部分１５１の長さ方向における上端位置１９１と後端位置１９２との間の任意の位置に配置させることで、乳母車用カバー１のカバー装着形態を上述した所望のカバー装着形態とすることができる。
【００７７】
そして、このようなカバー装着形態において、ハンドル挿通位置調節部分１５１の長さ方向におけるハンドル挿通位置１５２の両側部分、すなわち、ハンドル挿通位置調節部分１５１の長さ方向におけるハンドル非挿通部分１５５について、その周縁部に備えた一対の面ファスナ１５３（１５３Ａ，１５３Ｂ）を互いに重合することにより、ハンドル非挿通部分１５５を閉塞することができる。
【００７８】
そして、乳母車用カバー１を小型乳母車Ａｓ、或いは大型乳母車Ａｂに装着する場合と同様に、一対の背面側固定紐１６１を結締することで、カバー体背面部１１３とカバー体後端フラップ部１２２とが互いに重合した状態で固定することができる。
【００７９】
以上により、図１３に示すように、乳母車用カバー１を中型乳母車Ａｍに対して適切な高さで装着することができる。  
なお、図１３は、乳母車用カバー１を中型乳母車Ａｍに装着した状態の上部を斜め後方から視た部分拡大図を示す。
【００８０】
また、上述した乳母車用カバー１を大型乳母車Ａｂ、或いは、中型乳母車Ａｍに装着する際においても、該乳母車用カバー１を前輪側固定紐１６２によって固定するが、その固定方法は、上述した乳母車用カバー１を小型乳母車Ａｓに装着する手順と同様であるため、その説明を省略する。
【００８１】
上述した乳母車用カバー１は、以下の作用、効果を奏することができる。  
上述した構成により、乳母車Ａが小型乳母車Ａｓ、中型乳母車Ａｍ、及び、大型乳母車Ａｂのいずれのタイプであっても、特にカバー前裾部分１１１ｆが乳母車Ａの前輪５０２Ｆに接触することがなく、且つ、乳幼児を外的要因からしっかりと保護できる所望の装着形態で乳母車Ａに対して装着することができる。
【００８２】
詳しくは、従来の乳母車用カバーは、小型乳母車Ａｓに装着した場合においては、カバー前裾部分１１１ｆが、該小型乳母車Ａｓの前輪５０２Ｆとステップとの間の所定の高さ範囲よりも低い位置となる装着形態となる場合が多いため、乳母車Ａの走行中にカバーの前裾部分１１１ｆが乳母車Ａの前輪５０２Ｆに接触し易くなる。
【００８３】
そうするとカバーが前輪５０２Ｆに接触することで汚れるだけでなく、このような状態で乳母車Ａを走行させると、カバーが破れたり、車輪５０２に絡まって乳母車Ａが転倒するなどして乳幼児を危険に晒すことになる。
【００８４】
一方、従来の乳母車用カバーを大型乳母車Ａｂに装着した場合においては、カバー前裾部分１１１ｆが、該大型乳母車Ａｂの前輪５０２Ｆとステップの間の所定の高さ範囲よりも高い装着形態となる場合が多いため、乳幼児の足部などがカバーから露出して乳幼児を保護することができないという問題が生じることになる。
【００８５】
上述した理由により、乳母車用カバーは、特に、カバー前裾部分１１１ｆが、前輪５０２Ｆとステップの間の所定の高さ範囲に収まるよう取り付けることが重要であるが、乳母車Ａの前輪５０２Ｆとステップとの間の長さは僅かしかないため、乳母車Ａのサイズなどの形態に関わらず、乳母車用カバーを、カバー前裾部分１１１ｆの高さが上記所定の高さ範囲に収まるよう適切に取り付けることは困難であった。
【００８６】
具体的には、乳母車用カバーを小型乳母車Ａｓに装着する際には、カバー前裾部分１１１ｆが前輪５０２Ｆに対して高い位置となるよう取り付け位置に矯正するために、乳母車用カバー１を、例えば、乳母車Ａに対して前屈みの状態（前方へ重心が傾いた状態）から後方側へスライドさせてカバーの乳母車Ａに対する取り付け位置を高くする必要があるが、カバーを前方側へスライドさせる際に、カバーがハンドル５０１に干渉してしまい、乳母車用カバーの高さ調節をすることができなかった。
【００８７】
これに対して、本実施形態の乳母車用カバー１は、小型乳母車Ａｓに対する高さ調節をするために、該小型乳母車Ａｓに対して後方側へスライドさせる際に、上記ハンドル挿通位置１５２を、上記ハンドル挿通位置調節部分１５１において乳母車Ａの前方側に位置するように変更することができる。これにより、カバー体１０がハンドル５０１に干渉することなく、乳母車用カバー１の乳母車Ａに対する取り付け位置をスムーズに調節することができる。  
よって、カバー前裾部分１１１ｆの高さが車輪５０２の高さによりも高い位置とすることができる。
【００８８】
従って、カバー体１０が破れることを防ぐことができ、また、乳母車Ａが転倒することを防止できるため、乳幼児を危険に晒すことなく安全に走行することができる。
【００８９】
一方、乳母車用カバーを大型乳母車Ａｂに装着する際には、乳幼児の一部がカバー体１０に対して外側に露出してしまうことがないよう、カバーの前裾部分１１１ｆが前輪５０２Ｆの高さよりも高い位置となる範囲で、カバーの前裾部分１１１ｆの位置が低くなるようカバーを乳母車Ａに対して前方側へスライドさせてカバーの乳母車Ａに対する取り付け位置を低くする必要がある。
【００９０】
この場合においても、本実施形態の乳母車用カバー１は、ハンドル挿通位置１５２が、上記ハンドル挿通位置調節部分１５１において乳母車Ａの後方側に位置するように変更することにより、カバー体１０がハンドル５０１に干渉することなく、カバー体１０の乳母車Ａに対する取り付け位置をスムーズに調節することができる。  
以上により、本実施形態の乳母車用カバー１は、乳母車Ａの形態に関わらず、カバーの前裾部分１１１ｆの高さが車輪５０２の高さによりも高い位置であり、且つ、乳母車Ａの略全体を覆った装着形態とすることができる。
【００９１】
また、乳母車用カバー１は、上記ハンドル挿通位置調節部分１５１の幅方向に対して両縁部には、固定手段として面ファスナ１５３を備えているため、ハンドル挿通位置調節部分１５１において、ハンドル非挿通部分１５５を閉じるよう面ファスナ１５３を重合することにより、カバー装着形態において、ハンドル挿通位置１５２に関わらずハンドル挿通位置調節部分１５１をしっかりと閉じた状態とし、カバー体１０の内部の乳幼児をしっかりと覆うことができる。
【００９２】
特に、ハンドル挿通位置調節部分１５１におけるハンドル非挿通部分１５５を閉塞した状態に固定する手段として、雄型面ファスナ１５３Ａと雌型面ファスナ１５３Ｂから成る一対の面ファスナ１５３で構成することにより、該一対の面ファスナ１５３同士を重合することにより、ハンドル非挿通部分１５５をしっかりと閉塞した状態に保つことができる。さらに、一対の面ファスナ１５３同士を互いに重合、或いは離間するだけで容易に着脱することができる。
【００９３】
しかも、乳母車用カバー１は、一対の面ファスナ１５３のうち一方の面ファスナ１５３Ｂを、カバー体装着高さ調節中央部１３１の内面（裏面）側に、該カバー体装着高さ調節中央部１３１の縁部に沿って縫着するとともに、上記一対の面ファスナ１５３のうち他方の面ファスナ１５３Ａを、カバー体装着高さ調節側面部１３２の外面（表面）側に、該カバー体装着高さ調節側面部１３２の縁部に沿って縫着した構成としている。
【００９４】
これにより、一対の面ファスナ１５３同士を重合したとき、カバー体装着高さ調節中央部１３１の方がカバー体装着高さ調節側面部１３２よりも外面側に位置させることができる。
【００９５】
ここで、カバー体装着高さ調節中央部１３１の方が、カバー体装着高さ調節側面部１３２よりも高い位置（上方）に位置するため、例えば、降雨などによって、カバー体装着高さ調節中央部１３１の表面に付着した水滴は、カバー体装着高さ調節側面部１３２を通じて流下するが、その際に、上記ハンドル挿通位置調節部分１５１における隙間を通じて水滴がカバー体１０の内部に入り込むことを確実に防ぐことができる。
【００９６】
また、上述したように、乳母車用カバー１は、ハンドル挿通位置調節部分１５１を、中央カバー体１１０とカバー体側面部１２１との間、すなわち、中央カバー体１１０とカバー体側面部１２１との外周縁部に沿って形成したバイアステープ２０１が互いに対向する部分に沿って形成することができる。
【００９７】
このため、例えば、中央カバー体１１０とカバー体側面部１２１の表面に別途、ハンドル挿通位置調節部分１５１を形成した構成の場合のように、乳幼児、或いは保護者によるカバー表面を通じての視界がハンドル挿通位置調節部分１５１によって遮られることがなく、良好な視界を得ることができるとともに、乳母車用カバー１自体の優れた審美性を確保することができる。
【００９８】
また、上述したように、乳母車用カバー１は、カバー体側面部１２１に、カバー体後端フラップ部１２２を備えるとともに、背面側固定紐１６１を、上記カバーの背面側に形成したため、カバー体後端フラップ部１２２を、乳母車Ａの背面側で垂下した状態のカバー体背面部１１３に対して重合した状態で背面側固定紐１６１によって固定することができるため、乳母車Ａの背面側をカバー体後端フラップ部１２２とカバー体背面部１１３とで覆った状態でしっかりと固定することができる。
【００９９】
この発明の構成と、上述した実施形態との対応において、
カバーは、カバー体１０に対応し、
中央カバーは、中央カバー体１１０に対応し、
中央カバー上面部は、カバー体上面部１１２に対応し、
中央カバー背面部は、カバー体背面部１１３に対応し、
側面カバーは、カバー体側面部１２１に対応し、
後方フラップ部は、カバー体後端フラップ部１２２に対応し、
ハンドル挿通許容部は、ハンドル挿通許容スリット１５０に対応し、
ハンドルの挿通位置、又はハンドル挿通部分は、ハンドル挿通位置１５２に対応し、
背面側固定手段は、背面側固定紐１６１に対応し、
上記ハンドル挿通位置調節部分の幅方向の一方側の縁部は、カバー体装着高さ調節側面部１３２の縁部に対応し、
他方の面ファスナは、雌型面ファスナ１６２Ｂに対応し、
上記ハンドル挿通位置調節部分の幅方向の他方側の縁部は、カバー体装着高さ調節中央部１３１の縁部に対応し、
調節手段は、後述するカバー弛緩調節紐１５６に対応するもこの発明は、上述した実施形態に限らず、その他にも様々な実施形態で形成することができる。
【０１００】
具体的には、本発明の乳母車用カバーは、図１０、及び、図１１に示すように、ハンドル挿通位置調節部分１５１の長さ方向における、後端位置１９２（下端位置１９２）の周縁部には、面ファスナ１５３を備えていない構成としたが、この構成に限らない。
【０１０１】
例えば、該後端位置１９２の周縁部にも面ファスナ１５３の一部を備えてもよく、さらには、ハンドル挿通位置調節部分を、上述した実施形態のハンドル挿通位置調節部分１５１よりも長手方向において長くなるように、ハンドル挿通許容スリット１５０の長さ方向のさらに下方にまで形成し、その周縁部沿ってより長尺な面ファスナ１５３を形成してもよい。
【０１０２】
その他にも例えば、本発明の乳母車用カバーは、図１４に示すように、ハンドル挿通位置調節部分１５１におけるハンドル非挿通部分１５５の周辺部分におけるカバー体１０の弛緩具合を調節するカバー弛緩調節紐１５６を、ハンドル挿通位置調節部分１５１の縁部に備えた実施形態の乳母車用カバー１Ａで形成することができる。
【０１０３】
なお、図１４は、カバー弛緩調節紐１５６を締結することによって、ハンドル非挿通部分１５５の周辺部分におけるカバー体１０の弛緩具合を調節した様子を乳母車用カバー１Ａの背面側の上部により示した説明図であり、図１４（ａ），（ｂ）は、それぞれ乳母車用カバー１Ａを小型乳母車Ａｓに装着した状態、大型乳母車Ａｂに装着した状態を示している。
【０１０４】
乳母車用カバー１Ａを乳母車Ａに装着した状態において、乳母車Ａが小型乳母車Ａｓである場合には、図１４（ａ）に示すように、ハンドル５０１に対して下側においてカバー弛緩調節紐１５６を締結することができ、乳母車Ａが大型乳母車Ａｂである場合には、図１４（ｂ）に示すように、ハンドル５０１に対して上側においてカバー弛緩調節紐１５６を締結することができる。
【０１０５】
このように、乳母車用カバー１Ａを乳母車Ａに装着した状態において、カバー弛緩調節紐１５６を締結することによって、カバー弛緩調節紐１５６の締結具合に応じてハンドル非挿通部分１５５の周辺部分におけるカバー体１０にテンションを付与することができる。
【０１０６】
このため、ハンドル非挿通部分１５５の周辺部分におけるカバー体１０が弛緩した場合であっても、カバー弛緩調節紐１５６を締結することによって、弛緩した状態のカバー体１０を伸張させることができる。
【０１０７】
従って、乳母車Ａが小型乳母車Ａｓ、大型乳母車Ａｂのいずれの形態であってもハンドル非挿通部分１５５の周辺部分におけるカバー体１０の弛緩を略解消することができるため、外観上の見栄えを向上することができるとともに、例えば、弛緩部分に水などが溜まり、ハンドル挿通位置調節部分１５１を通じてカバー体１０の内部に水が浸入することを未然に防ぐことができる。
【符号の説明】
【０１０８】
１，１Ａ…乳母車用カバー
１０…カバー体
１１０…中央カバー体
１１１ｆ…カバー前裾部分
１２１…カバー体側面部
１２２…カバー体後端フラップ部
１５０…ハンドル挿通許容スリット
１５１…ハンドル挿通位置調節部分
１５２…ハンドル挿通位置
１５３…面ファスナ
１５３Ａ…雄型面ファスナ
１５３Ｂ…雌型面ファスナ
１５５…ハンドル非挿通部分
１５６…カバー弛緩調節紐
１６１…背面側固定紐
５０１…ハンドル
Ａ…乳母車
Ａｓ…小型乳母車
Ａｂ…大型乳母車
５０２…車輪
５０２Ｆ…前輪
【図１】
0005539287.tif 000002
【図２】
0005539287.tif 000003
【図３】
0005539287.tif 000004
【図４】
0005539287.tif 000005
【図５】
0005539287.tif 000006
【図６】
0005539287.tif 000007
【図７】
0005539287.tif 000008
【図８】
0005539287.tif 000009
【図９】
0005539287.tif 000010
【図１０】
0005539287.tif 000011
【図１１】
0005539287.tif 000012
【図１２】
0005539287.tif 000013
【図１３】
0005539287.tif 000014
【図１４】
0005539287.tif 000015